(57)【要約】      （修正有）【課題】付箋の機能の局限性を改善する正方形ボックス入り付箋メモ帳を提供する。【解決手段】嵌め合うカバー部１とボックス部２を含み、カバー部とボックス部の周りに側面板１１、２１が設置されていて、且つ、各側面板の中央部に開口１２、２２が設置されていて、カバー部の各隅部に直立柱１３が設置されていて、ボックス部の各隅部に丸い穴座２３が設置されていることによって、両者が結合した後、十分な厚さを有する中空形態になるようにする。特に、ボックス部に、若干のバッフル２４により囲まれた密封領域が設置されていて、その中で、各バッフルと向かい合っている側面板との間に空きスロット２５が形成されて、一つのグループの付箋・メモ帳が放置されていて、且つ、密封領域にまた一つのグループ以上の向かい合っている仕切板が設置されていることによって、異なる寸法を含む収納スペースが仕切られて、一つのグループ以上の予備付箋・メモ帳が放置されることができるようにする。【選択図】図１
0003235255.tif 000002
【実用新案登録請求の範囲】
【請求項１】
組み合わせるカバー部とボックス部を含み、
前記カバー部と前記ボックス部の周りに側面板が設置されていて、且つ、各前記側面板の中央部に開口が設置されていて、
前記カバー部の各隅部に直立柱が設置され、
前記ボックス部の各隅部に丸い穴座が設置され、
前記カバー部と前記ボックス部とが結合し、前記カバー部と前記ボックス部との間に十分な厚さを有する中空形態になり、
前記ボックス部に、バッフルにより囲まれた密封領域が設置されていて、その中で、前記バッフルと向かい合っている前記側面板との間に空きスロットが形成されて、一の前記空きスロットに一つのグループの付箋メモ帳が配置されていて、且つ、当該密封領域にまた一つのグループ以上の向かい合っている仕切板が設置されていて、異なる寸法を含む収納スペースが仕切られて、
一つのグループ以上の予備付箋メモ帳が前記収納スペースに配置される
ことを特徴とする正方形ボックス入り付箋メモ帳。  
【請求項２】
前記カバー部とボックス部における隅箇所の側面板が両側の隣の側面板よりやや低く、一つの切り欠きが形成されることによって、組み合わせた後、開きやすいスリットが構成される
ことを特徴とする請求項１に記載の正方形ボックス入り付箋メモ帳。    
【請求項３】
すべての付箋メモ帳の表面両端に、それぞれ一つの矢印図及び一つのグループの文字又は記号が設置されている
ことを特徴とする請求項１に記載の正方形ボックス入り付箋メモ帳。  
【請求項４】
前記付箋メモ帳が、半透明なものおよび色味があるもののうちのいずれか一つまたは混合である
ことを特徴とする請求項１に記載の正方形ボックス入り付箋メモ帳。  
【請求項５】
前記各枚の付箋メモ帳が、貼り合うその他の一枚の付箋メモ帳と、首尾交差の方式で重なることによって、グループ式の付箋メモ帳が構成される
ことを特徴とする請求項１に記載の正方形ボックス入り付箋メモ帳。
【考案の詳細な説明】
【技術分野】
【０００１】
本考案は、正方形ボックス入り付箋・メモ帳を提供する；  前記付箋・メモ帳は、任意の嵌め合う造形のカバー部とボックス部から構成されていて、更に、連続性を持つすぐ使用できる幾つかのグループの付箋・メモ帳及び  幾つかのグループの予備付箋・メモ帳と組み合わせることによって、長期的な文書標示と識別用途を提供する。  
【背景技術】
【０００２】
事務用品においてしょっちゅうに使用されている付箋又はスティッカーについて、ほとんど重なり方式で紙材料又は接着フィルムから一つのグループのものが構成され、且つ、その自身が異なる色を有するので、通常の状況の下で、ユーザーは、一回で若干の異なる色の付箋又はスティッカーを準備することによって、文書の分類標示の目的を達成する。但し、このような付箋の最大な欠点が単一性及び不十分な機能である。単一性というのは、前記付箋又はスティッカーが皆単一色の空白設計であるので、文書上の注記の注意機能に使用するだけで概ね良いが、特別な文書と内容の標示に使用すると、明らかに不十分である。幾つかの注記文書が乱雑な効果を引き起こし易いことが言うまでもなく、全体の文書の至るところに、各種の色の付箋又はスティッカーを貼り付けられても、ユーザーは、依然としてどの箇所が重点であるか又は優先に処理されるべきであるか分からない。その上、複数の付箋又はスティッカーをデスクトップ上に同時に置く場合、特別な物品収納又は放置スペースがなければ、無造作に取って使用することにより、デスクトップ上の乱雑な状況を更に引き起こし易い。従って、既存の付箋又はスティッカーの機能性から言うと、さらに改善するスペースがある。  
これに鑑みて、付箋の機能を向上させて改善する為に、本考案の考案者は、前記欠陥に対して、改善案を提出して、一層実用的な正方形ボックス入り付箋・メモ帳を提出することによって、今まで使用されている付箋の機能の局限性を改善し、且つ、社会大衆に恩恵をもたらすように努力する。  
【考案の概要】
【考案が解決しようとする課題】
【０００３】
本考案の目的は、正方形ボックス入り付箋・メモ帳を提供し、多方向のすぐ使用できる付箋・メモ帳を一体的に結合することによって、文書標示作業を速くて大量に行うことができると同時に、幾つかのグループの予備付箋・メモ帳を有するので、作業の持続的な便利効果・利益を遂げるようにすることである。  
本考案のその他の目的は、正方形ボックス入り付箋・メモ帳を提供し、デスクトップ使用が便利なボックス部設計にし、且つ、一回で、多種の異なる目的性とタイプを有する付箋・メモ帳を入ることができ、それに加えて、各文書タイプに対して、標示と使用を行うことができるようにすることである。  
【課題を解決するための手段】
【０００４】
前記目的を達成する為に、本考案は、正方形ボックス入り付箋・メモ帳を設計して、下記の構成成分を含む。嵌め合うカバー部とボックス部を含み、前記カバー部とボックス部の周りに側面板が設置されていて、且つ、各側面板の中央部に開口が設置されていて、前記カバー部の各隅部に直立柱が設置されていて、前記ボックス部の各隅部に丸い穴シートが向かい合って丸い穴が設置されていることによって、前記両者が結合した後、十分な厚さを有する中空形態になるようにする；  特に、前記ボックス部に、若干のバッフルにより囲まれた密封領域が設置されていて、その中で、各バッフルと向かい合っている側面板との間に皆空きスロットが形成されて、一つのグループの付箋・メモ帳が放置されていて、且つ、前記密封領域にまた一つのグループ以上の向かい合っている仕切板が設置されていることによって、異なる寸法を含む収納スペースが仕切られて、一つのグループ以上の予備付箋・メモ帳が放置されることができるようにする。  
一つの実施形態において、前記カバー部とボックス部における隅箇所の側面板が両側の隣の側面板よりやや低く、一つの切り欠きが形成されることによって、前記カバー部とボックス部の開きと分離に役立つようにする。  
一つの実施形態において、すべての付箋・メモ帳の表面両端に、それぞれ一つの矢印図及び一つのグループの文字又は記号が設置されていることによって、文書標示用途に役立つようにする。  
一つの実施形態において、前記付箋・メモ帳が、半透明なもの、色味があるもの又は前記何れかの二者の混合物の中の何れかの一種である。  
一つの実施形態において、前記各枚の付箋・メモ帳が、貼り合うその他の一枚の付箋・メモ帳と、首尾交差の方式で重なることによって類推するして、グループ式の付箋・メモ帳が構成される。  
本考案の構造組成、技術手法と効能達成面について、図式と結びついて、例を挙げて下記のように具体的に説明する。  
【図面の簡単な説明】
【０００５】
【図１】本考案における一つの好ましい実施形態の正方形ボックス入り付箋・メモ帳の分解図である。
【図２】本考案における一つの好ましい実施形態の正方形ボックス入り付箋・メモ帳の模式図である。
【図３】本考案における一つの好ましい実施形態の付箋・メモ帳グループの使用模式図である。
【図４】本考案における一つの好ましい実施形態の異なるタイプの付箋・メモ帳の模式図である。
【図５】（Ａ）本考案における一つの好ましい実施形態の正方形ボックス入り予備付箋・メモ帳の模式図（一）である。  （Ｂ）本考案における一つの好ましい実施形態の正方形ボックス入り予備付箋・メモ帳の模式図（二）である。  （Ｃ）本考案における一つの好ましい実施形態の正方形ボックス入り予備付箋・メモ帳の模式図（三）である。
【考案を実施するための形態】
【０００６】
図一で示す通り、本考案は、正方形ボックス入り付箋・メモ帳を提供して、その構成成分が下記を含む。嵌め合うカバー部（１）とボックス部（２）を含み、前記カバー部（１）の周りに直立的な側面板（１１）が設置されていて、前記ボックス部（２）の周りに同じように直立的な側面板（２１）が設置されていて、且つ、各側面板（１１，２１）の中央部に一つの開口（１２，２２）が設置されている；前記カバー部（１）の各隅部に一つの直立柱（１３）が設置されていて、前記ボックス部（２）の各隅部に丸い穴シートが向かい合って丸い穴座（２３）が設置されていることによって、前記カバー部（１）と前記ボックス部（２）が、直立柱（１３）を通じて丸い穴座（２３）に挿入されて前記両者の結合を完成した後、十分な厚さを有する中空形態になるようにする。その上、前記ボックス部（２）に、若干のバッフル（２４）により囲まれた密封領域が設置されていて、その中で、各バッフル（２４）と向かい合っている側面板（２１）との間に皆一つの空きスロット（２５）が形成されて、一つのグループの付箋・メモ帳（３）が放置されている；それ以外に、前記若干のバッフル（２４）により囲まれた前記密封領域にまた一つのグループ以上の向かい合っている仕切板（２６）が設置されていることによって（前記仕切板（２６）の方向が制限されず、ニーズによって任意に変わることができる）、異なる寸法を含む収納スペースが仕切られて、一つのグループ以上の予備付箋・メモ帳（３）が放置されることができるようにする。
【０００７】
続いて、図二で示す通り、前記正方形ボックスの構造設計によって、付箋・メモ帳（３）と結合する時に、実施面において、ボックス部  （２）を平置きにしてから、一つのグループの付箋・メモ帳（３）を取って、側面立ち方式で空きスロット（２５）内に入れた後、最上方の一枚の付箋・メモ帳（３）に、側面板（２１）の開口（２２）を通させることによって、当該付箋・メモ帳（３）の一段の自由端が、前記ボックス部（２）の側面板（２１）外側から露出するようにする；同様に、すべての空きスロット（２５）内に、皆一つのグループの付箋・メモ帳（３）を入れてから、カバー部（１）と前記ボックス部（２）を一体に組み合わせることによって、本考案における完全な正方形ボックス入り付箋・メモ帳に組み合わせることができる。  
【０００８】
図三で示す通り、使用面において、前記正方形ボックス入り付箋・メモ帳をデスクトップに置くことによって、随時に付箋・メモ帳（３）を引き出して使用する効能を遂げることができ、且つ、多方向の開口設計を有するので、左利きのユーザーであれ、右利きのユーザーであれ、皆付箋・メモ帳（３）を正常に且つ順調に引き出して使用することができる。  
【０００９】
更に、図二と図三を同時に参照してください。いずれかの空きスロット（２５）内の付箋・メモ帳（３）を使い切った後、付箋・メモ帳（３）を補充する時に、図二で示す通り、前記カバー部（１）とボックス部（２）における隅箇所の側面板（１１，２１）が両側の隣の側面板（１１，２１）よりやや低く、一つの切り欠き（１４，２７）が形成されることによって、前記カバー部（１）が、前記ボックス部（２）に被せられた後、周辺の隅の接合面で一つのスリット（２８）が自然的に形成され、これで、前記スリット（２８）を使って、コインと定規等の非常にたやすく手に入れることが出来るものを利用するだけで、気軽にこじる開けることができるので、付箋・メモ帳（３）の補充作業を順調に行うことができる。
【００１０】
続いて、図四で示す通り、本考案における付箋・メモ帳（３）は、長形の接着フィルムタイプであり、半透明なもの、色味があるもの又は前記何れかの二者の混合物の中の何れかの一種を採用してもよい；付箋・メモ帳（３）の一つの表面両端に、それぞれ一つの矢印図（３１）及び一つのグループの文字又は記号（３２）が設置されていて、且つ、その他の表面の局所に粘着ゲルが設置されている。前記各枚の付箋・メモ帳（３）が、貼り合うその他の一枚の付箋・メモ帳（３）と、首尾交差の方式で重なることによって、一つのグループ式の付箋・メモ帳（３）が構成される。前記付箋・メモ帳（３）上の文字又は記号（３２）は、異なる目的とタイプの文書の標示に用いられる。本実施形態において、Ｓｉｇｎ，  Ｆｉｌｅ，  Ｃｈｅｃｋ等のような文字を採用することによって、人員による判読と識別に役立つ。前記文字又は記号（３２）は、当該文書で挙げられているものに限らない。
【００１１】
最後に、図五で示す通り、本考案における正方形ボックスは、複数の開口があり、引き出しに用いられる付箋・メモ帳（３）があると同時に、前記ボックス体（２）内部に、更に予備付箋・メモ帳（３）の収納に用いられる一つ以上の収納スペースが配置されているので、ユーザーに一層長期的な使用効果・利益を提供することができる。実施面において、図（Ａ）で示す通り、一つ又は二つのグループの付箋・メモ帳（３）を取って、ボックス部（２）のバッフル（２４）内における、仕切板（２６）で仕切られる細長い形収納スペース内に収納する；図（Ｂ）で示す通り、バッフル（２４）により囲まれた前記領域は、二グループの仕切板（２６）で、両側の細長い形収納スペース及び及び中央の広い形収納スペースに仕切られて、各収納スペースが、予備付箋・メモ帳（３）が放置されることができる。前記細長い形収納スペースを除いて、前記広い形収納スペースが、約六つ〜八つのグループの側立ち形式で放置される付箋・メモ帳（３）を収納できる；更に図（Ｃ）  で示す通り、前記広い形収納スペースも、平置き形式で、約四つ〜六つのグループの予備付箋・メモ帳（３）を収納することができる。  
【００１２】
以上述べたところを総合すれば、本考案で提供された正方形ボックス入り付箋・メモ帳は、一人で引き出して使用されるだけでなく、複数のユーザーにより同時に使用されることもできる。特に付箋・メモ帳上の文字又は記号は、文書標示に用いられる時に、異なるニーズ、目的とタイプ等によって表記が実施されることができる；これと同時に、矢印図の指示と結びつくことによって、はっきりしている注意効果を一層持つようにするので、実際に技術イノベーション改革の素晴らしい考案であり、確実に産業利用性と実用価値を持つので、法律によって文書を提出して実用新案の出願を行う。
【００１３】
前記説明は、本考案における実行可能な実施形態に関する具体的な説明であるが、当該実施形態は、本考案の特許範囲を限定するものではない；本考案の技術主旨を離れない等価な実施形態又は変更は、皆本考案の特許範囲に含まれている。  
【符号の説明】
【００１４】
カバー部  （１）                側面板  （１１）  
開口  （１２）                    直立柱    （１３）  
切り欠き  （１４）              ボックス部  （２）  
側面板  （２１）                    開口  （２２）  
丸い穴座  （２３）              バッフル  （２４）  
空きスロット  （２５）      仕切板  （２６）  
切り欠き  （２７）              スリット  （２８）  
ボックス入り付箋・メモ帳  （３）  
【図１】
0003235255.tif 000003
【図２】
0003235255.tif 000004
【図３】
0003235255.tif 000005
【図４】
0003235255.tif 000006
【図５】
0003235255.tif 000007